(57)【要約】個人認証装置１は、指紋を検出する指紋センサ１ａと、被認証者の指又は手首や足首に携帯する携帯装置３に搭載される記憶媒体２を呼び出し、その記憶媒体３に格納される記録情報を読み出すスキャナ１ｂとを装置本体に一体に備える。また、指紋センサ１ａで検出した被認証者の指の指紋データと、スキャナ１ｂにより被認証者の指又は手首に装着された携帯装置３の記録媒体２から読み出した指紋照合用データとを照合する指紋照合手段１ｃとを備える。指紋照合手段１ｃは、指紋データと指紋照合用データとの一致に基づいて記録媒体の所持者が本人であることを認証する。
2004111940.tif 000002
【特許請求の範囲】
【請求項１】
指紋を検出する指紋センサと、被認証者の指又は手首あるいは足首に携帯する携帯装置に搭載される記憶媒体を呼び出し当該記憶媒体に格納される記録情報を読み出すスキャナとを装置本体に一体に備えると共に、
前記指紋センサで検出した被認証者の指の指紋データと、前記スキャナにより前記被認証者の指又は手首あるいは足首に装着された携帯装置の記録媒体から読み出した指紋照合用データとを照合する指紋照合手段とを備え、当該指紋照合により前記記録媒体の所持者と本人との同一性を認証することを特徴とする、個人認証装置。
【請求項２】
前記携帯装置は、指輪状形状又は腕輪状形状であることを特徴とする、請求項１に記載の個人認証装置。
【請求項３】
前記指紋センサと前記スキャナは、装置本体上において、指紋センサによる被認証者の検出対象の指紋検出と、被認証者が携帯する携帯装置に搭載される記録媒体の読み出しとを同時に行うことができる位置に配置することを特徴とする、請求項２に記載の個人認証装置。
【請求項４】
装置本体は表示手段を備え、
前記指紋照合に基づいて、前記スキャナは前記記憶媒体に格納される記録情報から個人情報を読み取って前記表示手段に表示することを特徴とする、請求項１乃至３の何れかに記載の個人認証装置。
【請求項５】
前記指紋照合に基づいて、前記スキャナは前記記憶媒体に格納される記録情報から個人を特定する識別データを読み取って外部サーバに送り、
外部サーバから当該識別データで特定される個人情報を取り込むことを特徴とする、請求項１乃至４の何れかに記載の個人認証装置。
【請求項６】
前記指紋照合に基づいて、前記指紋センサが検出した指紋データを外部サーバに送り、
外部サーバから指紋データで特定される個人情報を取り込むことを特徴とする、請求項１乃至４の何れかに記載の個人認証装置。
【請求項７】
請求項１乃至４の何れかに記載の個人認証装置と、印章データを出力する電子押印装置とを備え、
前記個人認証装置は、前記指紋照合に基づいて、スキャナにより前記記憶媒体に格納される記録情報から印章データを読み取って電子押印装置に送り、
前記電子押印装置は、当該読み取った印章データの外部装置への書き込み及び読み出しを行うことを特徴とする、個人認証装置を備えるシステム。
【請求項８】
装置本体に表示手段を備え、
前記記録媒体から読み取った印章データ及び／又は外部装置から読み出した印章データを前記表示手段に表示することを特徴とする、請求項７に記載の個人認証装置。
【請求項９】
請求項１乃至３何れかに記載の個人認証装置と、認証データの照合により解錠する錠装置とを備え、
前記個人認証装置は、前記指紋照合に基づいて、スキャナにより前記記憶媒体に格納される記録情報から認証データを読み取って錠装置に送り、
前記錠装置は、前記読み取った認証データと予め記憶する認証データとの照合により解錠することを特徴とする、個人認証装置を備えるシステム。
【発明の詳細な説明】
【技術分野】
【０００１】  本発明は、本人であることを認証する個人認証装置、及びこの個人認証に基づいて所定の動作を許容するシステムに関する。
【背景技術】
【０００２】  個人認証を行う方法として、人の指紋、虹彩、眼底、顔の形状、手の血管走行の形状等の生体を用いて行う生体認証方法（バイオメトリクス方法）、磁気カードやＩＣカードの記録媒体に記録した認証コードを用いる方法など種々の方法が知られている。【０００３】  生体を用いる生体認証方法による装置では、生体データをセンサで検出し、予め登録しておいたデータと比較し、両者が一致するときに本人であると認証する。この認証装置では、生体データが個人差や測定条件により変動するため、高い検出精度を得ることが困難であり、検出精度を高めるには高精度のセンサを必要とし、また比較のために登録しておく生体データのデータ量も多く必要となるため、データ処理を行うためにサーバ側に生体データを記録しておくなどシステム装置構成も複雑となり、簡易な構成で低コストとすることができないという問題がある。【０００４】  また、磁気カードやＩＣカードの記録媒体を用いる認証装置では、プラスチック製のカード上に設けた磁気材料やＩＣチップに個人を特定するための認証データを記録しておき、利用者はこのカードを常に携帯し、個人認証を要する場所においてこのカードを検出装置で読み取らせる。この認証装置では、利用者はカードを常に携帯しなければならず、携帯し忘れた場合には個人認証を行うことができないという問題がある他、カードが盗難された場合には、本人以外の第３者が本人になりすまして個人認証を行うことができるという問題もある。【０００５】  また、生体認証とカードを用いた認証とを組み合わせた個人認証も提案されている（例えば、特許文献１参照）。図２２は生体認証とカードを用いた認証とを組み合わせた個人認証装置を説明するための概略図である。この個人認証装置１０１は、被認証者１００の指の指紋を検出する指紋センサ１０１ａと、カード１０２上に設けた記録媒体１０２ａを読み取るカード読み取り手段１０１ｂとを備え、指紋センサ１０１ａで検出した指紋１００ａの指紋データと、カード読み取り手段１０１ｂで記録媒体１０２ａから取り込んだ指紋データとを照合することにより個人認証を行う。
【特許文献１】特開２００２−８３２８９号公報
【発明の開示】
【発明が解決しようとする課題】
【０００６】  上記した生体認証とカード認証とを組み合わせた個人認証装置では、個人認証データを管理するサーバを不要とすることができ、また、カード盗難によるなりすましの問題を解決することができる。しかしながら、被認証者はカードを常に携帯しなければならず、カードを携帯し忘れた場合には個人認証を行うことができないという問題は依然として残っている。【０００７】  また、被認証者は本人であることを認証するには、携帯したカード１０２に登録した指紋データと同じ指紋１００ａの指１００を指紋センサ１０１ａに位置合わせさせることにより指紋データを取得させると共に、カード１０２をカード読み取り手段１０１ｂに位置合わせさせることにより認証用指紋データを取得させる必要がある。【０００８】  したがって、被認証者は指紋照合を行うために、指紋データの読み取りとカードからの認証用指紋データの取得とをそれぞれ別の二つの操作により行う必要があり、個人認証装置の操作性は良好なものとは言い難いという問題がある。【０００９】  そこで、本発明は前記した従来の問題点を解決し、指紋データの読み取りと記録媒体からの認証用指紋データの取得とを一操作で行うことができることを目的とする。
【課題を解決するための手段】
【００１０】  本発明は、個人認証装置と、この個人認証装置を備え、本人認証に基づいて動作を行うシステムに関する。【００１１】  本発明の第１態様は個人認証装置であり、指紋を検出する指紋センサと、被認証者の指又は手首あるいは足首に携帯する携帯装置に搭載される記憶媒体を呼び出し、その記憶媒体に格納される記録情報を読み出すスキャナとを装置本体に一体に備え、さらに、指紋センサで検出した被認証者の指の指紋データと、スキャナにより被認証者の指又は手首あるいは足首に装着された携帯装置の記録媒体から読み出した指紋照合用データとを照合する指紋照合手段とを備える。指紋照合手段は、指紋データと指紋照合用データとの一致に基づいて記録媒体の所持者が本人であることを認証する。【００１２】  本発明の個人認証装置は、指紋センサとスキャナとが装置本体に一体に備える構成とすることにより、指紋センサによる被認証者の指紋データの取得と、スキャナによる被認証者の指又は手首あるいは足首に装着された携帯装置の記録媒体に格納されている指紋照合用データの読み出しを、被認証者は装置本体に対して一つの操作を行うだけで同時に行うことができる。【００１３】  携帯装置は、指輪状形状又は腕輪状形状とし、被認証者の指又は手首あるいは足首に装着することができ常時携帯が可能であると共に、指紋の検出と同時に携帯装置に設けられた記録媒体に格納された指紋照合用データ等の情報を読み出すことができる。【００１４】  個人認証装置の装置本体上において、指紋センサとスキャナは、指紋センサによる被認証者の検出対象の指紋検出と、被認証者が携帯する携帯装置に搭載される記録媒体の読み出しとを同時に行うことができる位置に配置する。例えば、指輪状形状の携帯装置を用いる場合には、指紋センサは被認証者の指の指紋を検出し、スキャナはその指に装着された指輪状形状の携帯装置に設けられた記録媒体を読み出す。なお、指輪状形状の携帯装置は、指紋検出を行う指に装着される必要はなく、スキャナの検出範囲内であれば任意の指に装着することができる。【００１５】  また、本発明の携帯装置を装着する指は、手の指あるいは足の指のいずれとしてもよい。例えば、手の指に適用する場合には、記録媒体を装着する手の指の指紋照合用データを記録しておき、手の指の指紋を指紋センサで検出して得た指紋データと指紋照合用データとを照合することで認証を行う。また、足の指に適用する場合においても同様に、記録媒体を装着する足の指の指紋照合用データを記録しておき、足の指の指紋を指紋センサで検出して得た指紋データと指紋照合用データとを照合することで認証を行う。【００１６】  特に、足の指に指輪状形状の携帯装置を装着する場合には、一般に足の指は指先の方が付け根よりも太いため、手の指に装着する場合よりもはずれ落ちるといった不都合が少ないという効果がある。【００１７】  また、腕輪状形状の携帯装置を用いる場合には、指紋センサは被認証者の指の指紋を検出し、スキャナはその指紋検出を行う手の手首や足首に装着された腕輪状形状の携帯装置に設けられた記録媒体を読み出す。【００１８】  指紋センサとスキャナは、指紋検出と記録媒体からの読み出しとを同じ指あるいは同じ手に対する操作で行うことができるため、カードを用いた認証のように、指紋検出とカード読み出しの２つの操作を不要であり一操作で済ますことができる。【００１９】  また、装置本体は表示手段を備えた構成とすることができ、指紋照合により本人と確認された場合には、スキャナは記憶媒体に格納される記録情報を読み取って表示手段に表示することができる。【００２０】  また、本発明の個人認証装置は、指紋照合に基づいて、スキャナは記憶媒体に格納される記録情報から個人を特定する識別データを読み取って外部サーバに送り、外部サーバから識別データで特定される個人情報を取り込むこともできる。【００２１】  また、本発明の個人認証装置は、指紋照合に基づいて、指紋センサが検出した指紋データを外部サーバに送り、外部サーバから指紋データで特定される個人情報を取り込むこともできる。【００２２】  本発明の第２の態様は個人認証装置を備えるシステムである。【００２３】  第２の態様のシステムの第１の形態は、押印やサインの処理に適用した形態であり、個人認証装置と、印章データを出力する電子押印装置とを備えた構成である。個人認証装置は、指紋照合に基づいて、スキャナにより憶媒体に格納される記録情報から印章データを読み取って電子押印装置に送る。電子押印装置は、スキャナで読み取られて送られた印章データを外部装置に対して書き込むと共に、その外部装置から書き込んだ印章データを読み出すことができる。【００２４】  また、装置本体に表示手段を設け、記録媒体から読み取った印章データ及び／又は外部装置から読み出した印章データを表示して確認することができる。【００２５】  第１の形態の電子押印によれば、サーバ等に印章データを格納する必要がなく、また、操作時においてもサーバにアクセスする必要がないため、簡易な構成及び簡易な操作で押印を行うことができる。【００２６】  第２の形態は、錠の開閉に適用した形態であり、個人認証装置と、認証データの照合により解錠する錠装置とを備えた構成である。個人認証装置は、指紋照合に基づいて、スキャナにより記憶媒体に格納される記録情報から認証データを読み取って錠装置に送る。錠装置は、スキャナで読み取られて送られた認証データと予め記憶する認証データとの照合により解錠する。【００２７】  第２の形態の錠装置によれば、解錠のための鍵やカードが不要であり、指紋データの取得と同時に記録媒体から認証データを取得することができ、この認証データにより解錠することができ、解錠時においてサーバにアクセスする必要がないため、簡易な構成及び簡易な操作で解錠することができる。【００２８】  第２の態様のシステムによれば、第１の態様の個人認証装置を備えることにより、個人認証に基づく処理を簡易な構成で行うことができる。
【発明の効果】
【００２９】  以上説明したように、本発明によれば、指紋データの読み取りと記録媒体からの認証用指紋データの取得とを一操作で行うことができる。
【図面の簡単な説明】
【００３０】［図１］本発明の個人認証装置の構成を説明するための概略図である。
［図２］本発明の個人認証装置の指紋センサとスキャナとの位置関係、及び被認証者による操作を説明するための概略図である。
［図３］本発明の個人認証装置による個人認証、及び個人認証に基づく処理の動作例を説明するための概略図である。
［図４］本発明の個人認証装置と利用者及び外部装置との間の信号関係を説明するための図である。
［図５］本発明の個人認証装置の錠装置への適用例を説明するために図である。
［図６］本発明の個人認証装置と利用者及び電子印章装置との間の信号関係を説明するための図である。
［図７］本発明の個人認証装置の電子印章装置への適用例を説明するための図である。
［図８］本発明の個人認証による情報照会処理を説明するための図である。
［図９］本発明の個人認証装置における指紋センサとスキャナとの関係を示す図である。
［図１０］本発明の個人認証装置に用いる指輪状形状ないし腕輪状形状の携帯装置の構成を説明する図である。
［図１１］本発明の携帯装置が備える記録媒体の構成例を説明するための図である。
［図１２］本発明の記録媒体の帯状部材にアンテナを設ける構成例を説明するための図である。
［図１３］本発明の記録媒体の帯状部材にアンテナを設ける構成例を説明するための図である。
［図１４］本発明の個人認証装置の医療分野における各段階での適用例を説明するための図である。
［図１５］本発明の個人認証装置の診察段階での利用を説明するための図である。
［図１６］本発明の個人認証装置の診察段階での利用を説明するための図である。
［図１７］本発明の個人認証装置の投薬，処置段階での利用を説明するための図である。
［図１８］本発明の個人認証装置の調剤段階での利用を説明するための図である。
［図１９］本発明の個人認証装置の薬剤の窓口での受け渡し段階での利用を説明するための図である。
［図２０］本発明の個人認証装置の薬剤の受け取り段階での利用を説明するための図である。
［図２１］本発明の個人認証装置の診療に関わる履歴を用いた本人認証を説明するための図である。
［図２２］生体認証とカードを用いた認証とを組み合わせた個人認証装置を説明するための概略図である。
【符号の説明】
【００３１】  １…個人認証装置
１ａ…指紋センサ
１ｂ…スキャナ
１ｃ…指紋照合手段
１ｄ…記録手段
１ｅ…出力手段
１ｆ…表示手段
１ｇ…コード管理手段
１ｈ…出力手段
１ｉ…入出力手段
１ｊ…入力手段
１ｋ…照合手段
１ｆ…表示手段
２…記録媒体
２ａ…媒体チップ
２ｂ…回路パターン
２ｃ…回路基板
２ｄ…コンデンサ
２ｅ…アンテナ
３…携帯装置
３ａ…帯状部材
３ｂ…凹凸部
３ｃ…環状部材
３ｄ…開口部
３ｅ…アンテナ
１０…外部装置
１１…電子印章装置
１２…錠装置
２０…サーバ
２０ａ…一時コード発行管理装置
２０ｂ…コード発行管理装置
２０ｃ…一時コード管理装置
２０ｄ…履歴管理装置
３０…情報処理装置
４０…扉
５０…用紙
５１…記録媒体
６０…円筒体
７０…ドア
７１…ドアノブ
１００…指
１００ａ…指紋
１０１…個人認証装置
１０１ａ…指紋センサ
１０１ｂ…カード読み取り装置
１０２…カード
１０２ａ…記録媒体
１１０…診察段階
１２０…投薬，処置段階
１２１…薬剤
１３０…調剤段階
１３１…薬剤
１４０…受け渡し段階
１５０…薬剤の受け取り段階
【発明を実施するための最良の形態】
【００３２】  以下、本発明の実施の形態について、図を参照しながら詳細に説明する。【００３３】  図１〜図４を用いて本発明の個人認証装置の構成及びその処理を説明し、図４，５を用いて本発明の個人認証による解錠処理を説明し、図６，７を用いて本発明の個人認証による電子印章処理を説明し、図８を用いて本発明の個人認証による情報照会処理を説明する。また、図９を用いて本発明の個人認証装置における指紋センサとスキャナとの関係をし、図１０を用いて本発明の個人認証装置に用いる指輪状形状ないし腕輪状形状の携帯装置の構成を説明する。【００３４】  図１は個人認証装置の構成を説明するための概略図である。図１において、個人認証装置１は指紋センサ１ａとスキャナ１ｂを備える。指紋センサ１ａは、被認証者の指１００の指紋を検出する。スキャナ１ｂは、被認証者の指１００あるいは手首や足首に携帯される携帯装置３に搭載される記憶媒体２を呼び出し、この記憶媒体２に格納される記録情報を読み出す。指紋センサ１ａとスキャナ１ｂは、個人認証装置１の装置本体に一体に設けられる。【００３５】  個人認証装置１は、指紋照合により記録媒体３の所持者と本人との同一性を認証する指紋照合手段１ｃを備える。指紋照合手段１ｃは、指紋センサ１ａで検出した被認証者の指の指紋データと、スキャナ１ｂにより携帯装置３の記録媒体２から読み出した指紋照合用データとの照合を行う。指紋照合手段１ｃによる指紋照合は、例えば検出した指紋データから指紋の特徴点を抽出し、指紋照合用データの特徴点との一致を判定することにより行うことができる。【００３６】  なお、図１に示す構成例では、指紋センサ１ａで検出した指紋データを指紋照合手段１ｃに直接入力する構成を示しているが、指紋センサ１ａにより指紋を走査して行う指紋データの検出において検出時間を要する場合には、指紋センサ１ａが検出する指紋データを記憶手段１ｄに逐次記憶し、全ての指紋データが検出された後、指紋照合手段１ｃに送って指紋照合の処理を行う構成としてもよい。【００３７】  指紋照合手段１ｃによる照合結果は、出力手段１ｅにより外部装置１０に出力する他、装置本体に設けた表示手段１ｆに表示することができる。【００３８】  一方、記憶媒体２は、例えば無線タグやＩＣチップ等と呼称される記録と通信の両機能を備える素子であり、メモリ機能、外部との通信機能、外部から得られる誘導電波により駆動電流を形成する駆動機能等を備える。メモリ機能は、指紋照合用データを記録する他、被認証者を識別する識別データ、各被認証者の生体データや電子押印等に用いる印章データ等の個人情報、錠装置の解錠に用いる認証データ等の種々のデータを予め登録して記録しておく。【００３９】  個人認証装置１は、この記録媒体２に記録される記録情報を取得するための機能を備える。この機能は、例えば、記録媒体３に対して誘導電波を送って記録媒体３を駆動させ、スキャナＩＤを記録媒体３に送る。記録媒体３は、誘導電波で誘起された電流により駆動し、送られたスキャナＩＤを登録してあるスキャナＩＤと照合し、一致した場合には指紋照合用データを個人認証装置１に送信する。なお、スキャナＩＤによるスキャナの照合は省略することもできる。【��０４０】  個人認証装置１のスキャナ１ｂは、記録媒体３から送信された指紋照合用データの他に、識別データ、個人情報、認証データ等の種々のデータを受信する。スキャナ１ｂで読み取ったこれらの各種データは記録手段１ｄに記憶することができる。なお、これら個人情報や認証データ等については、指紋照合用データによって指紋照合を行い、指紋データの照合が確認された後に記憶媒体２からの読み取りを開始するようにしてもよい。【００４１】  本発明の個人認証装置１が備える指紋センサ１ａとスキャナ１ｂは、装置本体に対して一体で設けられ、被認証者が装置本体に対して行う一認証操作により、指紋センサ１ａによる指紋検出と、スキャナ１ｂによる記録媒体２からの指紋照合用データの読み取りとを同時に行うことができ、指紋検出の操作と指紋照合用データを読み取る操作を別に行うことなく、一つの操作で行うことができる。【００４２】  図２は指紋センサとスキャナとの位置関係、及び被認証者による操作を説明するための概略図である。ここで、被認証者は記録媒体２を搭載した携帯装置３を自身の指１００に装着しているものとする。携帯装置３は指輪状の形状であり、被認証者の指１００に常時装着しておくことができる。【００４３】  指紋センサ１ａは、個人認証装置１の装置本体においてその外壁部分にセンサ面が露出するように設ける。被認証者は、指紋部分をセンサ面に接触させることにより指紋検出を行う。なお、指紋センサは任意の検出形態のものを適用することができる。【００４４】  一方、スキャナ１ｂは、同装置本体において指紋センサ１ａの近傍に設ける。指紋センサ１ａを設置する位置は、被認証者が自身の指紋部分を指紋センサ１ａに接触させて指紋検出を行う際に、指１００に装着した携帯装置３の記録媒体２がその通信可能な範囲内となるように設定する。これによって、被認証者が指紋認証を行うために自身の指紋を指紋センサ１ａに接触させると（図２（ｂ））、スキャナ１ｂは記録媒体２を通信可能な範囲内となるため、被認証者は指を指紋検出の位置としたままで、記録媒体から認証用指紋データなどの記録情報を読み取ることができる。【００４５】  なお、スキャナ１ｂの読み取り距離の範囲を広く設定した場合には、スキャナ１ｂは図２に示すように携帯装置３と一致する設置する必要はなく、通信が可能な範囲内であれば、スキャナ１ｂと携帯装置３との間に距離が生じる構成とすることもできる。これによれば、指紋を検出する指と異なる指に携帯装置３を装着させることもできる。【００４６】  図３は、本発明の個人認証装置による個人認証、及び個人認証に基づく処理の動作例を説明するための概略図である。【００４７】  ここで、携帯装置３に搭載される記録媒体２は、指紋照合用データの他に、個人を識別する識別データ、各個人が固有に備える個人情報、外部装置１０との間で一対一の関係を特定して認証する認証データ等を予め登録して記録している。本人認証は、指紋センサ１ａにより被認証者の指紋１００ａを検出して取得した指紋データと、スキャナ１ｂにより記録媒体３から読み出して取得した指紋照合用データと照合して行う。【００４８】  指紋照合の照合結果は表示手段に表示する他（図中の破線Ａ）、外部��置１０やサーバ２０に送って使用することもできる。外部装置１０としては、例えば、電子押印装置１１や錠装置１２とすることができる。【００４９】  電子押印装置１１は、押印あるいはサインの操作を電子的に行うものであり、予め記録しておいた印章データを書類に搭載した記録手段に送ることにより、押印あるいはサインの操作の代わりとするものである。また、錠装置１２は、金庫，ロッカー，ドアなどの施錠、解錠を電気的に行うものであり、解錠は予め登録しておいた認証データの認証することにより行う。【００５０】  印章データは、例えば記録媒体２の個人情報内に格納しておくことができ、また、認証データは、例えば記録媒体２内に格納しておくことができる。これらの印章データ及び認証データは、指紋照合データと共に読み出すことも、あるいは、指紋照合が済んだ後に読み出すこともできる。【００５１】  指紋照合が済んだ後に読み出す場合には、図３中の破線Ｂに示すように、指紋照合に基づいて、記録媒体２に格納される印章データあるいは認証データを読み出し、読み出したデータを電子押印装置１１や錠装置１２等の外部装置１０に送信する。このように、指紋照合に基づいて印章データあるいは認証データを読み出すことにより、押印や解錠の処理の安全性を高めることができる。【００５２】  また、個人認証装置１はサーバ２０に接続することにより、より正確な本人認証を行ったり、他の情報処理装置の被認証者の情報を送ることができる。サーバ２０は、被認証者を特定する識別データ、被認証者のより詳細な指紋照合用データ、及び個人情報をデータベースに備え、個人認証装置１から送られた指紋データをより詳細な指紋照合用データと照合することにより、本人認証の確度を高めることができる。また、サーバ２０では、手段指紋照合に加えて、識別データの照合により本人認証を行うこともできる。【００５３】  また、サーバ２０は、本人認証を受けて（図中の破線Ｃ）、識別データや個人情報を他の情報処理装置３０に送信することができる。情報処理装置３０は、例えば医療機関や公共機関等が備えることができ、サーバ２０で管理する生体データや住所、氏名、生年月日等の個人情報を取り込むことができる。【００５４】  図４は、個人認証装置と利用者及び外部装置との間の信号関係を説明するための図であり、図５の構成例と共に外部装置として錠装置に送信する例について説明する。なお、以下に付す番号は図中の番号と対応して示している。【００５５】  はじめに、個人認証装置１のスキャナ１ｂは、利用者が装着する携帯装置３に搭載される記録媒体２に対して誘導電波を発すると共に、発信元のスキャナを識別するスキャナＩＤを発信する（１）。被認証者が携帯する携帯装置３に搭載される記録媒体２は、この誘導電波により駆動電流を得て駆動し、受信したスキャナＩＤと予め記憶しておいたスキャナＩＤとを照合する。登録されたスキャナＩＤであれば、予め登録しておいた被認証者の指紋データを指紋照合用データとして個人認証装置１に送信する。この指紋照合用データは暗号化して送信することができる。【００５６】  発信元のスキャナＩＤが登録されていない場合には、応答を行わないか、あるいは未登録のスキャナＩＤである���とを返信する。なお、スキャナＩＤの照合処理を省き、指紋照合用データの要求に基づいて暗号化した指紋照合用データを送信する形態とすることもできる（２）。【００５７】  個人認証装置１のスキャナ１ｂは暗号化された指紋照合用データを受信し（３）、復号して指紋照合用データを取得する（４）。一方、個人認証装置１の指紋センサ１ａは被認証者の指紋を検出し（５，６）、指紋データを取得する（７）。【００５８】  指紋照合手段１ｃは、取得した指紋照合用データと指紋データとの照合を行う。この指紋照合は、例えば、指紋データから予め設定しておいた特徴点を抽出し、その特徴点が指紋照合用データ中の特徴点と一致するかを判定することにより行う。本発明の個人認証装置１では、この指紋照合に用いる指紋照合用データを被認証者が装着する携帯装置に搭載した記録媒体から取得するため、装置本体に予め登録しておいたり、サーバに問い合わせるといった指紋照合用データの管理の手間を省くことができ、システムを簡略化することができる（８）。【００５９】  指紋照合により本人認証が確認されると、外部装置に本人認証を確認した信号を形成し（９）送信する（１０）。外部装置はこの本人認証の確認信号を受信し、所定の処理を行う（１１）。【００６０】  図４中の下方に示す一点鎖線で囲む処理は、外部装置として錠装置に適用した例を示している。【００６１】  指紋照合手段１ｃは、取得した指紋照合用データと指紋データとの照合を行い（１２）、本人認証が確認された場合には、錠装置１２を解錠するための認証データの読み出しを行う。この認証データは、錠装置１２を解錠する鍵として使用するものであり、各錠装置１２毎に登録された利用者に対して割り当てられ、記録媒体２に予め記憶しておくものとする。【００６２】  個人認証装置１は、スキャナ１ｂと記録媒体２との間の通信により、記録媒体２に記録されている認証データを取得し（１３〜１５）、取得した認証データを外部装置の錠装置１２に送信する（１６）。錠装置１２は認証データを受信し（１７）、この認証データと登録しておいた認証データとを照合する（１８）。認証データが一致した場合には、錠装置１２を解錠する（１９）。なお、認証データは暗号化しておき、外部装置側で復号して照合することにおり、外部装置側のセキュリティーを高めることができる。【００６３】  図５は、本発明の個人認証装置の錠装置への適用例であり、金庫やドアやロッカー等の扉に用いる例を示している。図５に示す例では、扉４０に本発明の個人認証装置１を設け、個人認証装置１で取得した認証データを錠装置１２に送る構成としている。個人認証装置１は扉４０の任意の位置に設けることができるが、例えば扉１０の取っ手部分に近接した位置に設けることにより、指紋センサによる指紋データの取得と、スキャナによる指紋照合用データ及び認証データの取得と、扉４０の開放動作とを一連の操作により行うことができる。【００６４】  カードを用いて本人認証を行い、その本人認証に基づいて解錠を行って扉を開ける構成では、カードをカード読み取り装置に読み取らせる操作と、扉を開放する操作の少なくとも２つの操作を要するのに対して、本発明の個人認証装置を適用したシステムによれば、カードを読み取らせる操作が不要であるため、本人認証を行う操作と同時に扉を開放する操作を行うことができる。【００６５】  次に、外部装置を電子印章装置とした例について、図６，７を用いて説明する。図６は個人認証装置と利用者及び電子印章装置との間の信号関係を説明するための図であり、図７は電子印章装置への適用例を説明するための図である。【００６６】  なお、以下に付す番号は図中の番号と対応して示している。【００６７】  はじめに、前記した図４中の（１）から（８）の工程と同様にして指紋データと指紋照合用データとを照合する。【００６８】  指紋照合手段１ｃは、取得した指紋照合用データと指紋データとの照合を行い（８）、本人認証が確認された場合には、電子印章装置１１で使用する電子印章データの読み出しを行う。この電子印章データは、電子印章装置１１において電子的に押印を行うためのデータであり、例えば、押印を求める機関に送ったり、印紙や書類中に組み込んだ記録媒体にこの電子印章データを送って記録させることにより、押印と同等の処理を行うものである。この電子印章データは、各利用者毎に固有であり、記録媒体２に予め記憶しておく。記録媒体２に記憶された電子印章データは、本発明の個人認証装置１により必要に応じて読み出され、電子印章装置１１により書き込み処理を行うことで押印あるいはサインに代わる処理を行う。【００６９】  個人認証装置１は、指紋照合の後、スキャナ１ｂと記録媒体２との間の通信により、記録媒体２に記録されている暗号化された電子印章データを取得する（２０〜２２）。取得した電子印章データを復号し（２３）、復号した電子印章データを電子印章装置１１に送信する（２４）。このとき、電子印章データを表示手段１ｆに表示することもできる。この電子印章データは、印章画像として表示することもできる（２５）。【００７０】  なお、上記した（２０〜２２）の工程では、指紋照合に基づいて電子印章データを取得しているが、指紋照合の結果に関わらず電子印章データを記録媒体から取得しておき、指紋照合が確認された場合にのみ暗号化された電子印章データを復号するようにしてもよい。【００７１】  電子印章装置１１は、個人認証装置１から送られた電子印章データを受信し（２６）、この電子印章データを印紙や押印用紙等の書類等に組み込んでおいた無線タグ等の記録媒体に書き込み、記録する（２７，２８）。電子印章装置１１は、書き込んだ電子印章データを読み取って（２９）、表示手段１ｆに表示する（３０）。【００７２】  表示手段１ｆは、記録媒体２から読み出した電子印章データと、電子印章装置１１で読み取ったデ電子印章データとを並べて表示することにより、押印を確認することができる。【００７３】  図７は、本発明の個人認証装置を電子印章装置に適用した一例である。図７に示す例では、個人認証装置１を電子印章装置１１とを接続する構成である。【００７４】  個人認証装置１は、前記したように、指紋センサ１ａにより被認証者の指紋データを検出し、スキャナ１ｂにより携帯装置３に搭載した記録媒体２から指紋照合用データを読み取って本人認証を行い、本人認証に基づいて記録媒体２から電子印章データを取得する。【００７５】  個人認証装置１は、取得した電子印章データを電子印章装置１１に送り、電子印章装置１１により印紙や押印用紙等の用紙５０に貼り付けておいた無線タグ等の記録媒体５１に書き込み、書き込んだ電子印章データを読み取って個人認証装置１に送り返し、表示手段１ｆに表示する。【００７６】  個人認証装置１は、指紋センサによる指紋データの取得と、スキャナによる指紋照合用データ及び電子印章データの取得とを一つの操作により行うことができる。なお、電子印章装置１１による押印操作は、電子印章装置本体に設けたスイッチにより行うことができるが、この押印操作を単に押印時の確認とし、個人認証装置１において本人認証がされたことにより押印操作を行う構成とすることもできる。【００７７】  カードを用いて本人認証を行い、その本人認証に基づいて電子押印を行う構成では、カードをカード読み取り装置に読み取らせる操作と、電子押印を行う操作の少なくとも２つの操作を要するのに対して、本発明の個人認証装置を適用したシステムによれば、カードを読み取らせる操作が不要であるため、本人認証を行う操作と同時に電子押印の操作を行うことができる。【００７８】  次に、本発明の個人認証装置による本人認証に基づいてサーバから情報を取得する例について、図８を用いて説明する。図８は、個人認証装置と利用者とサーバとの間の信号関係を説明するための図である。なお、以下に付す番号は図中の番号と対応して示している。【００７９】  はじめに、前記した図４中の（１）から（８）の工程と同様にして指紋データと指紋照合用データとを照合する。【００８０】  指紋照合手段１ｃは、取得した指紋照合用データと指紋データとの照合を行い（８）、本人認証が確認された場合には、サーバから情報を取得するために本人を識別するための識別データの読み出しを行う。この識別データは、サーバ２０において本人を識別するためのデータであり、サーバ２０と利用者が携帯する携帯装置３に搭載する記録媒体２に登録し記録しておく。【００８１】  記録媒体２に記憶されている識別データは、本発明の個人認証装置１により必要に応じて読み出され、この識別データによりサーバにおいて本人を確認し、情報を取得する。【００８２】  個人認証装置１は、指紋照合の後、スキャナ１ｂと記録媒体２との間の通信により、記録媒体２に記録されている暗号化された識別データを取得する（４０〜４２）。取得した識別データを復号する（４３）。なお、上記した（４０〜４２）の工程では、指紋照合に基づいて識別データを取得しているが、指紋照合の結果に関わらず識別データを記録媒体から取得しておき、指紋照合が確認された場合にのみ暗号化された識別データを復号するようにしてもよい。【００８３】  また、個人認証装置１は、指紋照合した後サーバ２０のログインする（４４）。サーバ２０は、個人認証装置１からのログインを確認し（４５）、暗号鍵を送信する（４６）。個人認証装置１はサーバ２０から送られた暗号鍵を復号し（４７）、この暗号鍵を用いて取得しておいた識別データを暗号化し（４８）、サーバ２０に暗号化した識別データを送信する（４９）。【００８４】  サーバ２０は、暗号化された識別データを受信し（５０）、復号する（５１）��識別データに基づいて利用者を特定し、記録している利用者の情報の内から要求された個人情報を読み出して暗号化し（５２）、個人認証装置１に送る（５３）。個人認証装置１は、暗号化された個人情報を受信して（５４）復号し（５５）、表示手段１ｆに表示する。【００８５】  本発明の個人認証装置１において、指紋センサ１ａとスキャナ１ｂとの装置本体での配置は、図１，２で示した構成に限られるものはなく他の構成とすることもできる。図９は、個人認証装置の指紋センサとスキャナの他の配置構成を説明するための図である。【００８６】  図９（ａ）において、スキャナ１ｂは、被認証者が指先を指紋センサ１ａに接触させたときに、被認証者が装着する携帯装置３に搭載される記録媒体２との間で通信可能な範囲であれば、装置本体の任意の位置に配置することもできる。【００８７】  図９（ａ）中のスキャナ１ｂは、通信距離を短くして、指紋センサ１ａにより指紋検出を行う指に装着された指輪状の携帯装置３に搭載した記録媒体２のみから情報を取得する。【００８８】  図９（ａ）中のスキャナ１ｂ′は、通信距離を長くして、指紋センサ１ａにより指紋検出を行う指以外の指に装着された指輪状の携帯装置３、あるいは手首や足首に装着されたブレスレット状の携帯装置３に搭載した記録媒体２から情報を取得する。【００８９】  図９（ｂ）は、円筒状部材６０の外表面に指紋センサ１ａを設け、内部にスキャナ１ｂを設ける構成の例である。この構成によれば、被認証者は円筒状部材６０を握る操作により、本人認証を行うことができ、車やバイク等のハンドルに適用することができる。【００９０】  図９（ｃ）は、ドア７０のドアノブ７１に適用した例であり、ドアノブ７１の外表面に指紋センサ１ａを設け、内部にスキャナ１ｂを設ける構成例である。この構成によれば、被認証者はドアノブ７１を握る操作により、本人認証を行うことができる。【００９１】  次に、本発明の個人認証装置に用いた携帯装置の構成例について図１０を用いて説明する。携帯装置３は、利用者の指や手首や足首に装着する指輪状あるいは腕輪状の形状であり、輪の一部に記録媒体２が組み込まれる。【００９２】  携帯装置３は帯状部材３ａと環状部材３ｃとからなり、この帯状部材３ａを湾曲させ、その両端部を環状部材３ｃの各開口端部に挿入して固定することによりリング状に形成される。図１０（ａ）は、帯状部材３ａを環状部材３ｃ内に挿入する前の状態を示している。【００９３】  帯状部材３ａ及び環状部材３ｃは樹脂製とし、環状部材３ｃは加熱により収縮する熱可塑性樹脂とする。携帯装置３は、帯状部材３ａと環状部材３ｃとを組み合わせる構成とすることにより、利用者の指や手首や足首の太さに対応した大きさに形成することができる。【００９４】  輪状に形成するには、帯状部材３ａを利用者の指や手首や足首の合わせた後、その両端を環状部材３ｃの開口部３ｄ内に挿入し、挿入する長さを調整することにより輪の大きさを利用者の指や手首や足首の太さに合わせ（図１０（ｂ））、環状部材３ｃを加熱して収縮させ固定する（図１０（ｃ））。これにより、利用者の指や手首や足首の太さに対応した大きさに合わせることができる。【００９５】  このとき、帯状部材３ａ���両端に溝等の凹凸部分を形成しておくことにより、環状部材３ｃ内に挿入して固定した際に、帯状部材３ａの端部と環状部材３ｃとの間の摩擦を大きくして、帯状部材３ａの端部が環状部材３ｃから脱落することを防ぐことができる。また、帯状部材３ａは、長さの異なるものを複数種用意しておくことにより、利用者の指や手首や足首の多種類の太さに対応することができる。【００９６】  以下、携帯装置３が備える記録媒体２の構成例について図１１を用いて説明し、携帯装置の他の構成例について図１２，１３を用いて説明する。【００９７】  図１１において、携帯装置３が備える記録媒体２は、例えばＩＣチップ等で呼ばれる媒体チップ２ａと、この媒体チップ２ａを駆動するための回路パターン２ｂと，媒体チップ２ａ及び回路パターン２ｂを構成する回路基板２ｃと、駆動用電源となるコンデンサ２ｄと、外部装置との間で行う送受信や電力供給のためのアンテナ２ｅ等を備える。なお、コンデンサ２ｄは、外部装置からの高周波による電磁誘導によって、回路基板２ｃ側が必要とする電力の供給を受ける。図１１（ｂ）は、これら各要素の一配置例を示しているが、この配置に限られるものではない。また、図１１（ａ）は、記録媒体２を環状部材３ｃに設けた例を示している。記録媒体２は、環状部材３ｃを形成する際に、環状部材３ｃ内に一体で埋め込む他、形成した環状部材３ｃの表面に貼り付ける構成としてもよい。表面に貼り付ける構成の場合には、貼り付けた記録媒体２の外側表面を樹脂等でコーティングして保護膜を形成してもよい。【００９８】  記録媒体２は、図１１（ａ）に示すように、携帯装置３の環状部材３ｃに設ける構成の他に別の構成としてもよい。図１２，１３は、記録媒体を設置する別の構成の説明するための図である。【００９９】  記録媒体２が備えるアンテナ２ｅは、外部装置との間の送受信感度を高めるためには、長さや面積が大きいことが望ましい。【０１００】  図１２，１３は、記録媒体２の帯状部材３ａにアンテナ２ｅを設ける構成例である。なお、図１２（ａ），図１３（ａ）は斜視図であり、図１２（ｂ），図１３（ｂ）は断面図である。帯状部材３ａは、内部にアンテナ２ｅを埋め込んで形成する他、帯状部材３ａの表面に貼り付ける構成としてもよい。表面に貼り付ける構成の場合には、貼り付けたアンテナ３ｅの外側表面を樹脂等でコーティングして保護膜を形成してもよい。【０１０１】  なお、図１２、１３に示す構成例の帯状部材３ａは、一部を切り欠いた環状体により構成することができ、弾性を有する樹脂により形成することができる。この構成とすることによって、使用者の指や手首や足首の太さが異なる場合にも対応することができ、また、同一の使用者であっても体調によって指や手首や足首の太さが変化した場合にも対応することができる。【０１０２】  図１２に示す構成例は記録媒体２を帯状部材３ａの周方向のほぼ中央部に設けた例であり、図１３に示す構成例は記録媒体２を帯状部材３ａの周方向の端部に設けた例であるが、記録媒体２は帯状部材３ａの周方向のいずれの位置に設けても良い。【０１０３】  また、図１２では、記録媒体２を帯状部材３ａの外周面側に貼り付ける例を示しているが、内周面側に貼り付ける構成としてもよい。また、記録媒体２を帯状部材３ａ内に埋め込んで形成する構成としてもよい。【０１０４】  また、図１３に示す構成例において、携帯装置３を指や手首や足首に装着する際に、アンテナ３ｅが設けられた帯状部材３ａが個人認証装置のスキャナと対向する位置に装着することができる。この装着位置とした場合には、アンテナ３ｅとスキャナとの距離を短くすることができるため、送受信感度を高めることができる。また、アンテナ３ｅとスキャナとの間に指や手首や足首等の人体部分を挟まないため、人体による電波の吸収効果の影響を低減させることができ、送受信感度を高めることができる。【０１０５】  次に、本発明の個人認証装置を医療分野に適用した場合の例について、図１４〜図２１を用いて説明する。なお、図１５〜図２０は、医療分野において、医師による診察による投薬や処置の指示、前記医師に指示に基づく投薬や処置、前記医師に薬剤指示に基づく調剤、前記医師に薬剤指示に基づく薬剤の受け渡しや受け取り等の各段階での適用例を示し、図２１は、医療分野において、利用者の履歴データを本人認証に利用する適用例を示している。【０１０６】  図１４は、医療分野における各段階での適用例を示している。診療過程において、本発明は、医師による診察段階、投薬や処置の段階、調剤の段階、薬剤の配布段階等の各段階に適用することができる。なお、薬剤の配布段階は、薬剤を窓口等で受け渡す形態とする他、用意された薬剤を受け取る形態とすることができる。【０１０７】  上記診療過程の各段階（診察段階１１０、投薬，処置段階１２０、調剤段階１３０、薬剤の窓口での受け渡し段階１４０、薬剤の受け取り段階１５０）では、前記したように、各医療対象者が装着する記録媒体２を個人認証装置１で確認することで本人であることを認証する他、本発明の個人認証装置１を用いることによって、診察段階１１０で医師等が指定した投薬や処置を、他の各段階（投薬，処置段階１２０、調剤段階１３０、薬剤の配布段階（薬剤の窓口での受け渡し段階１４０、薬剤の受け取り段階１５０）において照合し確認することができる。これにより、本人の確認に加えて、指示した投薬や処置の確認を行うことができる。【０１０８】  以下、上記各段階について説明する。【０１０９】  はじめに診察段階１１０について図１５，１６を用いて説明する。以下に示す例では、各診察行為に対して一時コードを設定し、この一時コードを用いて投薬や処置を特定する。この一時コードは、医師、医療対象者、診察で指定する投薬や処置等を特定する。【０１１０】  図１５は、一時コードをサーバ２０で発行し、医師等が使用する個人認証装置１に割り振る。例えば、一時コードとしてＴ０１，Ｔ０２，Ｔ０３，…，Ｔ１１，Ｔ１２，Ｔ１３，…，Ｔ２１，Ｔ２２，Ｔ２３，…，を発行し、これらの一時コードの内、Ｘ医師にはＴ０１，Ｔ０２，Ｔ０３，…を割り振り、Ｙ医師にはＴ０１，Ｔ０２，Ｔ０３，…を割り振り、Ｚ医師にはＴ０１，Ｔ０２，Ｔ０３，…を割り振る。【０１１１】  割り振られた一時コードは、各医師が持つ個人認証装置１の管理手段１ｇ中の一時コード管理手段２０ａに格納する。【０１１２】  また、個人認証装置１は、管理手段１ｇ中の処置コード管理手段に処置コード（Ａ０１，Ａ０２，Ａ０３，…）を備え、薬剤コード管理手段に薬剤コード（Ｂ０１，Ｔ０２，Ｔ０３，…）を備え、入力手段１ｊから診察で指定した薬剤や処置が指定されると、対応するコードを出力手段１ｈから記録媒体２（２Ａ，２Ｂ，…）に記録すると共に、同コードを入出力手段１ｉからサーバ２０内のコード管理装置２０ｂに記録する。なお、薬剤コードや処置コードは、一時コードと共に記録媒体２に格納してもよい。【０１１３】  異なる医療対象者に対して投薬や処置を行う場合には、各医療対象者の携帯装置２Ａ，２Ｂに対して異なる一時コードＴ０１，Ｔ０２を設定し、これによって、医療対象者と投薬や処置の識別を行う。【０１１４】  また、一時コードは医師等毎に異なるコードが発行されているため、医療対象者や投薬や処置を特定する他、指示した医師も特定することができる。【０１１５】  図１５では、一時コードをサーバ２０側で発行する例を示しているが、一時コードの発行は個人認証装置１側で行うこともできる。図１６は一時コードを個人認証装置１側で発行する例を示している。【０１１６】  各個人認証装置１は、管理手段１ｇ中の一時コード発行手段においてそれぞれ固有の一時コードを発行し、当該一時コードを出力手段１ｈから記録媒体２（２Ａ，２Ｂ，…）に記録すると共に、同コードを入出力手段１ｉからサーバ２０内の一時コード管理装置２０ｃに記録する。その他は、前記図１５の構成と同様とすることができる。【０１１７】  次に、投薬，処置段階１２０について図１７を用いて説明する。記録媒体２には診察段階で設定された一時コード（Ｔ０１）が設定されている。処置室や点滴に際において、当該処置場所あるいは処置者は個人認証装置１を備え、この個人認証装置１によって前記した様に、指紋センサ１ａで検出した指紋とスキャナ１ｃで読み込んだ指紋照合用データとを照合手段１ｂで照合することによって個人認証を行う他、スキャナ１ｃで読み込んだ一時コードと、サーバ２０から送信された一時コードとを照合手段１ｋで照合することによって、投薬や処置に誤りがないことを確認する。照合手段１ｋによる照合結果は表示手段１ｆに表示する。【０１１８】  また、投薬や処置の確認は、サーバ２０から送られた一時コードを用いる他、一時コードを薬剤の袋やケース、あるいは処置装置の外装にシールやＩＣチップ等の記録媒体により付与しておき、この一時コードをスキャナ１ｃで読み取るようにしてもよい。【０１１９】  なお、記録媒体２に薬剤コードや処置コードを記録する場合には、照合手段１ｋにおいて一時コードに加えて薬剤コードや処置コードを照合してもよい。これによれば、指定された薬剤や処置の確認をより確実に行うことができる。【０１２０】  次に、調剤段階１３０について図１８を用いて説明する。記録媒体２には診察段階で設定された一時コード（Ｔ０１）が設定されている。診察において指定された薬剤を調剤する際において、当該調剤場所あるいは調剤を受け付ける窓口は個人認証装置１を備え、この個人認証装置１によって前記した様に、指紋センサ１ａで検出した指紋とスキャナ１ｃで読み込んだ指紋照合用データとを照合手段１ｂで照合することによって個人認証を行う他、��キャナ１ｃで読み込んだ一時コードと、サーバ２０から送信された一時コードとを照合手段１ｋで照合することによって、薬剤に誤りがないことを確認して調剤操作を行い、薬剤１３１を作成する。なお、この薬剤１３１を収納する袋やケースの外装にシールやＩＣチップ等の記録媒体により付与しておき、個人認証装置１のスキャナ１ｃで読み取り可能とし、以後の薬剤の配布における確認に利用することができる。【０１２１】  次に、薬剤の窓口での受け渡し段階１４０について図１９を用いて説明する。記録媒体２には診察段階で設定された一時コード（Ｔ０１）が設定されている。診察で指定された薬剤を窓口で受け渡しする際において、当該受け渡し場所あるいは受け渡しを受け付ける窓口は個人認証装置１を備え、この個人認証装置１によって前記した様に、指紋センサ１ａで検出した指紋とスキャナ１ｃで読み込んだ指紋照合用データとを照合手段１ｂで照合することによって個人認証を行う他、スキャナ１ｃで読み込んだ一時コードと、サーバ２０から送信された一時コードや調剤された薬剤を収納した袋やケースに付した一時コードとを照合手段１ｋで照合することによって、薬剤に誤りがないことを確認し、薬剤１３１の受け渡しを行う。【０１２２】  なお、記録媒体２に薬剤コードや処置コードを記録する場合には、照合手段１ｋにおいて一時コードに加えて薬剤コードや処置コードを照合してもよい。これによれば、指定された薬剤や処置の確認をより確実に行うことができる。【０１２３】  次に、薬剤の受け取り段階１５０について図２０を用いて説明する。この受け取り段階は、病院等において予め用意された薬剤を、番号を指標として受け取りを行う形態に対応するものである。【０１２４】  記録媒体２には診察段階で設定された一時コード（Ｔ０１）が設定されている。ここでは、診察で指定された薬剤を受け取る際において、用意された薬剤がどの番号の位置に配置されているかを確認する配置位置確認段階１５０Ａと、確認した配置位置に置かれた薬剤を受け取る段階１５０Ｂの２段階としている。【０１２５】  配置位置確認段階１５０Ａにおいて、当該配置位置確認場所は個人認証装置１を備え、この個人認証装置１によって前記した様に、指紋センサ１ａで検出した指紋とスキャナ１ｃで読み込んだ指紋照合用データとを照合手段１ｂで照合することによって個人認証を行う他、スキャナ１ｃで読み込んだ一時コードと、サーバ２０から送信された一時コードや調剤された薬剤を収納した袋やケースに付した一時コードとを照合手段１ｋで照合し、照合が確認されたときには、当該薬剤が格納された位置の番号を表示する。【０１２６】  ここでは、薬剤の配置の一例として、個別に錠がかけられる収納容器１５０ａ内に薬剤を収納する例を示している。【０１２７】  利用者は、単に個人認証装置１に携帯装置をかざすことによって薬剤が収納されている容器の番号を知ることができる。【０１２８】  次に、薬剤の受け取り段階１５０Ｂにおいて、当該受け取り場所は個人認証装置１を備え、この個人認証装置１によって前記した様に、指紋センサ１ａで検出した指紋とスキャナ１ｃで読み込んだ指紋照合用データとを照合手段１ｂで照合することによって個人認証を行う他、ス���ャナ１ｃで読み込んだ一時コードと、サーバ２０から送信された一時コードや調剤された薬剤を収納した袋やケースに付した一時コードとを照合手段１ｋで照合し、照合が確認されたときには、収納容器１５０ａの錠を解錠し、薬剤１３１を取り出す。【０１２９】  利用者は、単に個人認証装置１に携帯装置をかざすことによって薬剤を取り出すことができる。【０１３０】  なお、記録媒体２に薬剤コードや処置コードを記録する場合には、照合手段１ｋにおいて一時コードに加えて薬剤コードや処置コードを照合してもよい。【０１３１】  次に、本発明の医療分野における利用例として、利用者の履歴データを本人認証に利用する適用例について説明する。【０１３２】  この適用例は、本人認証を、本人の指紋と記録媒体２に格納した指紋照合用データとの照合に加えて、本人の診療に関わる履歴を照合の指標として用いる例である。本人の診療に関わる履歴は本人毎に異なるため、この履歴を照合することで本人であるか否かの照合に利用することができる。【０１３３】  図２１では、診療に関わる履歴として本人が利用した診療科の履歴を用いる例を示している。各診療科には個人認証装置１が設けられ、各診療科で診療を行う毎に記録媒体２に診療科コードを格納すると共に、サーバ２０に個人毎に診療科コードを記録する。図２１では、診療科Ｐ０１，Ｐ０５，Ｐ０７を順に診療した例を示している。【０１３４】  本人認証を行う場合には、個人認証装置１は、前記したと同様に、指紋センサ１ａで検出した指紋とスキャナ１ｃで読み込んだ指紋照合用データとを照合手段１ｂで照合することによって個人認証を行う他、スキャナ１ｃで読み込んだ診療科コードの履歴と、サーバ２０から送信された診療科コードの履歴とを照合手段１ｋで照合し、照合が確認されたときには、本人であることを確認する。【０１３５】  なお、診療に関わる履歴は、上記した診療科の利用順の他、利用した診療科と時間との組み合わせとしたものを用いてもよい。これによれば、利用する診療科の個数が少ない場合であっても本人認証に利用することができる。【０１３６】  本発明の実施の形態によれば、被認証者は指紋照合用データや識別データや個人情報等の種々の記録情報を読み出す操作について、格別な意識あるいは配慮を払うことなく、単に指紋データを取得するために指紋を指紋センサに接触するだけで個人情報を取得することができる。【０１３７】  本発明の実施の形態によれば、指紋照合を行うために要する指紋照合用データを、カードに記録したりあるいはサーバに格納しておく必要がないため、指紋照合のための装置を簡略化して小型とすることができる。【０１３８】  本発明の実施の形態によれば、記録媒体を搭載する携帯装置は、利用者の指や手首や足首に太さに応じて容易に形成することができる。【０１３９】  さらに、本発明の携帯装置は医療分野に適用することで以下のような格別な効果を奏することができる。【０１４０】  医療分野において、通常、医療対象者は身体に不自由な箇所があり、また、年齢においても高齢者や年少者など、十分な意思疎通が期待できない場合が多い。そのため、医療対象者の個人認証を行う際、医療対象者自身に複雑な個人認証操作を要求することは望ま���くなく、簡易な操作により個人認証を行うことができる装置が望まれる。【０１４１】  例えば、医療対象者は意識不明や身体を自由に動かせない場合には、本人が暗証番号を入力する等の操作を必要とする認証装置は不適である。また、カードを用いて個人認証を行う場合には、本人がカードを必ずしも管理しているとは限らず、手術等の治療現場では身体に何も身につけずに治療が行われる場合があり、カード等の媒体を所持することはできない。【０１４２】  また、医療分野では、診療、点滴、投薬等の、取り違えの防止が強く求められる処置が多く、取り違えの可能性を極力小さくするために常に身につけられることが要求される。【０１４３】  上記のような医療分野という特別な環境において、本発明の個人認証では、カード等の媒体のように所持が困難な状況においても身体に常に身につけることができ、また、故意に付け替えるといったことをしない限り、取り違えるといった事態も生じないという格別な効果を奏することができる。【０１４４】  また、簡易な操作によって行うことができ、また、本人でなくとも操作を行うことができるため、個人認証の対象者が意識不明であったり身体を動かせない状況においても、本人による認証操作によらずに操作を行うことができる。
【産業上の利用可能性】
【０１４５】  本発明の個人認証装置は、押印やサイン処理に適用することができる他、医療分野に置いても広く適用することができる。
【図１】
2004111940.tif 000003
【図２】
2004111940.tif 000004
【図３】
2004111940.tif 000005
【図４】
2004111940.tif 000006
【図５】
2004111940.tif 000007
【図６】
2004111940.tif 000008
【図７】
2004111940.tif 000009
【図８】
2004111940.tif 000010
【図９】
2004111940.tif 000011
【図１０】
2004111940.tif 000012
【図１１】
2004111940.tif 000013
【図１２】
2004111940.tif 000014
【図１３】
2004111940.tif 000015
【図１４】
2004111940.tif 000016
【図１５】
2004111940.tif 000017
【図１６】
2004111940.tif 000018
【図１７】
2004111940.tif 000019
【図１８】
2004111940.tif 000020
【図１９】
2004111940.tif 000021
【図２０】
2004111940.tif 000022
【図２１】
2004111940.tif 000023
【図２２】
2004111940.tif 000024
【国際調査報告】
2004111940.tif 000025
2004111940.tif 000026
2004111940.tif 000027
2004111940.tif 000028